(57)【要約】【課題】  本発明は、通信エリアを共有するセル間での接続切り替えを円滑に行うことを目的とする。【解決手段】  複数のセルを管理する基地局制御装置が、前記複数のセルのそれぞれと通信エリアを共有するセルを管理する他の基地局制御装置から、該他の基地局制御装置の配下の基地局と接続された移動局の識別情報を受信するとともに、前記複数のセルのうち、該移動局の接続先候補の基地局が形成するセルが属するセルグループ識別情報を受信する受信部と、前記複数のセルのうち、前記セルグループ識別情報により特定されるセルグループに属するセルであって、前記移動局に対して接続を許容する基地局が形成するセルを前記移動局の識別情報に基づいて特定し、特定した該セルを形成する基地局に対して、該移動局との接続を要求するメッセージを送信させる制御を行う。【選択図】      図７
2010056585.tif 000002
【特許請求の範囲】
【請求項１】
複数のセルを管理する基地局制御装置において、
前記複数のセルのそれぞれと通信エリアを共有するセルを管理する他の基地局制御装置から、該他の基地局制御装置の配下の基地局と接続された移動局の識別情報を受信するとともに、前記複数のセルのうち、該移動局の接続先候補の基地局が形成するセルが属するセルグループ識別情報を受信する受信部と、
前記複数のセルのうち、前記セルグループ識別情報により特定されるセルグループに属するセルであって、前記移動局に対して接続を許容する基地局が形成するセルを前記移動局の識別情報に基づいて特定し、特定した該セルを形成する基地局に対して、該移動局との接続を要求するメッセージを送信させる制御を行う制御部と、
を備えたことを特徴とする基地局制御装置。
【請求項２】
前記制御部は、前記セルグループの識別情報により特定されるセルグループに属する複数のセルのうち、前記移動局に対して接続を許容する基地局が形成するセルが特定されないとき、該セルグループに属するいずれのセルを形成する基地局に対しても、該移動局との接続を要求するメッセージを送信させない制御を行うことを特徴とする請求項１記載の基地局制御装置。
【請求項３】
前記制御部は、前記特定した前記セルを形成する基地局から、前記移動局に対して接続を許容することを通知するメッセージを受信すると、前記他の基地局制御装置に対して、該メッセージに、該セルの識別子を含めて送信させる制御を行うことを特徴とする請求項１記載の基地局制御装置。
【請求項４】
前記制御部は、移動局の識別情報と、該移動局に対して接続を許容する基地局が形成するセルの識別情報と、該接続を許容する基地局が形成するセルが含まれるセルグループの識別情報と、を対応付けた対応表を有し、該対応表に基づいて前記セルの特定を行うことを特徴とする請求項１ないし３記載の基地局制御装置。
【請求項５】
複数のセルを管理する基地局制御装置において、
前記複数のセルのそれぞれと通信エリアを共有するセルを管理する他の基地局制御装置から、該他の基地局制御装置の配下の基地局と接続された移動局の接続先候補の基地局が形成するセルが属するセルグループの識別情報を受信する受信部と、
前記セルグループに含まれるセルを形成する各基地局に対し、前記移動局との接続を要求するメッセージを送信する制御を行う制御部と、
を備えたことを特徴とする基地局制御装置。
【請求項６】
前記制御部は、前記セルグループに含まれるセルのいずれかから、前記移動局に対して接続を許容することを通知するメッセージを受信すると、前記他の基地局制御装置に対して、該メッセージに該セルの識別情報を含めて送信する制御を行うことを特徴とする請求項５記載の基地局制御装置。
【請求項７】
前記制御部は、前記セルグループの識別情報と、該セルグループに含まれるセルの識別情報と、を対応付けた対応表を有し、該対応表に基づいて、該セルグループに含まれるそれぞれのセルを形成する基地局に対し、前記他の基地局制御装置の配下のセルを形成する基地局に接続された移動局との接続を要求するメッセージを送信する制御を行うことを特徴とする請求項５又は６記載の基地局制御装置。
【請求項８】
基地局制御装置に管理される複数のセルのいずれかを形成する基地局において、
前記基地局制御装置から、前記複数のセルのそれぞれと通信エリアを共有するセルを管理する他の基地局制御装置の配下の基地局と接続された移動局の識別情報を受信する受信部と、
前記移動局の識別情報に基づいて、自局が接続を許容する移動局を特定し、特定した該移動局に対して接続を許容することを通知するメッセージを、前記基地局制御装置を介して前記他の基地局制御装置へ送信する制御を行う制御部と、
を備えたことを特徴とする基地局。
【請求項９】
複数のセルを管理する基地局制御装置は、
前記複数のセルのそれぞれと通信エリアを共有するセルを管理する他の基地局制御装置から、該他の基地局制御装置の配下の基地局と接続された移動局の識別情報を受信するとともに、前記複数のセルのうち、該移動局の接続先候補の基地局が形成するセルが属するセルグループ識別情報を受信し、
前記複数のセルのうち、前記セルグループ識別情報により特定されるセルグループに属するセルであって、前記移動局に対して接続を許容する基地局が形成するセルを前記移動局の識別情報に基づいて特定し、特定した該セルを形成する基地局に対して、該移動局との接続を要求するメッセージを送信させる制御を行う、
ことを特徴とする通信方法。
【請求項１０】
複数のセルを管理する基地局制御装置は、
前記複数のセルのそれぞれと通信エリアを共有するセルを管理する他の基地局制御装置から、該他の基地局制御装置の配下の基地局と接続された移動局の接続先候補の基地局が形成するセルが属するセルグループの識別情報を受信し、
前記セルグループに含まれるセルを形成する各基地局に対し、前記移動局の識別情報を該移動局との接続を要求するメッセージとともに送信する制御を行い、
前記複数のセルのいずれかを形成する基地局は、
前記基地局制御装置から、前記移動局の識別情報を受信し、
前記移動局の識別情報に基づいて、自局が接続を許容する移動局を特定し、特定した該移動局に対して接続を許容することを通知するメッセージを、前記基地局制御装置を介して前記他の基地局制御装置へ送信する制御を行う、
ことを特徴とする通信方法。
【発明の詳細な説明】
【技術分野】
【０００１】
本発明は、移動体無線通信における基地局間移動に関する。
【背景技術】
【０００２】
移動体無線通信システムにおいて、ユーザ端末（移動局）が基地局間を移動する際には、移動局とネットワークとの間でハンドオーバを実行することにより、通信を途切れさせることなく継続することを可能としている。
【０００３】
ここでハンドオーバとは、ある基地局と通信を行っている移動局が、当該基地局との距離が離れる（受信レベルが低くなる）とともに他の基地局との距離が近づいた（受信レベルが高くなった）ときに通信相手を変更する技術である。このために、移動局は、常に無線環境を測定し、より良い伝送品質で通信を行うことができる基地局を探索する。
【０００４】
一つの基地局がカバーする通信エリアは通常半径数Ｋｍであり、複数の基地局の通信エリア同士が隙間無く隣接するよう設置される。上記一つの基地局がカバーする通信エリアはセル、特に上記のサイズの通信エリアはマクロセルと呼ばれる。
【０００５】
マクロセルを多数設置し通信エリアをカバーする方法は、少ない基地局で広範囲をカバーできるためコスト面で有効であるといえる。一方、マクロセルにおいては、例えば２ＧＨｚ帯などの比較的高い周波数帯で通信を行う場合にビルの陰、屋内、地下などに電波が届かない状況が生じやすいことなどが問題である。
【０００６】
そこで、マクロセルの通信エリア内に、更にマクロセルよりも小さな範囲の通信エリアをカバーする基地局（例えば屋内基地局）を設置することで、上記の問題を解決する試みがなされている。このマクロセルよりも小さな通信エリアをカバーするセルは、マイクロセルあるいはピコセルと呼ばれる。例えば、マクロセルとマイクロセルあるいはピコセルとを通信エリアが重なる形で利用する場合のハンドオーバについては特許文献１及び特許文献２に開示されている。
【０００７】
また、マイクロセルあるいはピコセルよりもカバーエリアが更に小さな超小型セルにフェムトセル（Ｆｅｍｔｏｃｅｌｌ）がある。フェムトセルがカバーする通信エリアは半径１０ｍ前後であり、特に屋内の狭いエリア、例えば個人宅内をカバーするのに好適である。
【０００８】
フェムトセルを個人宅のような屋内に設置する場合、ＡＤＳＬやＦＴＴＨなどのブロードバンド回線を基地局とコアネットワークとの接続に利用することができるため、通常の基地局−コアネットワーク間に用いられる専用回線を設置する必要がなくインフラコストを安価に抑えることが可能である。
【特許文献１】ＷＯ２００２／１０４０５６
【特許文献２】特許第２６９３９２４号
【発明の開示】
【発明が解決しようとする課題】
【０００９】
移動局がマクロセルからフェムトセルへハンドオーバを実行する際、移動局はマクロセル在圏時に通信可能なフェムトセルを探索する。
【００１０】
フェムトセルの探索において、マクロセルを形成する基地局はセル同期に関する情報（報知情報）を所定のある短い周期で繰り返し移動局に報知する。ここで、報知情報に含まれる情報としては、事業者コード、セルＩＤ、セルの通信品質測定の判定の基準となる情報、隣接セル情報（セルの周波数、セルＩＤ等）等がある。
【００１１】
一方、マクロセル内にある数以上の複数のフェムトセルが存在するとき、所定の周期中に当該複数のフェムトセルすべてについての報知情報を送信することができない場合が生じる。また、必要な情報量に応じて報知周期をより長く設定した場合、その分移動局でハンドオーバに必要な情報を受信するのに時間がかかってしまうので、ハンドオーバ可能なタイミングを超過することにより通信の断絶が発生する可能性がある。
【００１２】
そこで、本発明は、通信エリアを共有するセル間での接続切り替えを円滑に行うことを目的とする。
【課題を解決するための手段】
【００１３】
本発明の実施例の一態様においては、複数のセルを管理する基地局制御装置において、前記複数のセルのそれぞれと通信エリアを共有するセルを管理する他の基地局制御装置から、該他の基地局制御装置の配下の基地局と接続された移動局の識別情報を受信するとともに、前記複数のセルのうち、該移動局の接続先候補の基地局が形成するセルが属するセルグループ識別情報を受信する受信部と、前記複数のセルのうち、前記セルグループ識別情報により特定されるセルグループに属するセルであって、前記移動局に対して接続を許容する基地局が形成するセルを前記移動局の識別情報に基づいて特定し、特定した該セルを形成する基地局に対して、該移動局との接続を要求するメッセージを送信させる制御を行う制御部と、を備えたことを特徴とする基地局制御装置を用いる。
【００１４】
また、本実施例の他の態様においては、複数のセルを管理する基地局制御装置において、  前記複数のセルのそれぞれと通信エリアを共有するセルを管理する他の基地局制御装置から、該他の基地局制御装置の配下の基地局と接続された移動局の接続先候補の基地局が形成するセルが属するセルグループの識別情報を受信する受信部と、前記セルグループに含まれるセルを形成する各基地局に対し、前記移動局との接続を要求するメッセージを送信する制御を行う制御部と、を備えたことを特徴とする基地局制御装置を用いる。
更に、前記基地局制御装置から、前記複数のセルのそれぞれと通信エリアを共有するセルを管理する他の基地局制御装置の配下の基地局と接続された移動局の識別情報を受信する受信部と前記移動局の識別情報に基づいて、自局が接続を許容する移動局を特定し、特定した該移動局に対して接続を許容することを通知するメッセージを、前記基地局制御装置を介して前記他の基地局制御装置へ送信する制御を行う制御部と、を備えたことを特徴とする基地局を用いる。
【発明の効果】
【００１５】
本発明によれば、通信エリアを共有するセル間での接続切り替えを円滑に行うことが可能となる。
【発明を実施するための最良の形態】
【００１６】
以下、図面を用いて本発明の実施の形態について説明する。
【００１７】
なお、本実施例は上記マクロセル−フェムトセル間のハンドオーバについて適用することを一例としているが、これに限定されるものではなく、マイクロセルやピコセル等通信エリアを共有するセル間一般においても適用できる。
（１）実施例が適用される通信システム例
図１は、本発明の実施例が適用される通信システムの一例として、マクロセルのエリア内に複数のフェムトセルが存在する場合を示す。
【００１８】
図において、マクロセルを形成する基地局はＲＮＣ（Ｒａｄｉｏ  Ｎｅｔｗｏｒｋ  Ｃｏｎｔｒｏｌｌｅｒ）により制御され、マクロセル内に在圏する複数のフェムトセルＦ１〜８を形成する基地はＮＲＮＣ（Ｎｅｗ  Ｒａｄｉｏ  Ｎｅｔｗｏｒｋ  Ｃｏｎｔｒｏｌｌｅｒ）により制御される。以下、マクロセルを形成する基地局をマクロセル基地局、フェムトセルと形成する基地局をフェムトセル基地局とそれぞれ表記することがある。
【００１９】
Ｆ１〜８をそれぞれ個々のフェムトセルとすると、マクロセル基地局は移動局に対しＦ１〜８についての報知情報を所定の周期で繰り返し報知することになる。
【００２０】
一方、マクロセル内に所定数以上（例えば３３個以上）のフェムトセルが存在するとき、当該所定の周期中にすべてのフェムトセルについての報知情報を送信することができない場合が生じる。移動局は、当該フェムトセルについての報知情報を基にハンドオーバ先のセルを探索するので、すべてのフェムトセルについての報知情報が得られない場合、マクロセルからフェムトセルへのハンドオーバが円滑に実行できないことがある。
【００２１】
そこで、マクロセル内に存在するフェムトセルを複数のグループに分けて管理することにより、あるグループのフェムトセルは同じ報知情報として、グループ毎の報知情報をマクロセル基地局から移動局へ報知することが考えられる。
【００２２】
フェムトセルのグループ化においては、例えば、設置順に順次グループ番号を付与していくことにより、各グループに含まれるフェムトセルの数に偏りが生じないようにする方法が考えられる。また、マクロセル内にあるフェムトセルの数が比較的少ないときには、隣接するフェムトセル同士が異なるフェムトセルグループに属するようにグループ化するのも有効な方法となり得る。
【００２３】
図２は、マクロセル内に存在する８個のフェムトセルをＧｒ１、Ｇｒ２、Ｇｒ３の三つのグループに分けて管理する通信システムを示す。
【００２４】
図２の通信システムにおいては、マクロセルの基地局が移動局へ報知する報知情報にはＧｒ１、Ｇｒ２、Ｇｒ３についての情報が含まれる。報知情報に含まれるセルグループについての情報には、例えば、事業者コード、セルグループの識別情報であるセルグループＩＤ、セルグループの通信品質測定の判定の基準となる情報、セルグループの周波数等がある。
【００２５】
このような場合、フェムトセルグループの数がある数以下（例えば３２個以下）のときはすべてのフェムトセルグループについての報知情報を、マクロセル基地局から移動局に報知することが可能である。
【００２６】
しかし、報知情報を受信した移動局が、フェムトセルグループに属するフェムトセルへのハンドオーバを要求するときも、ネットワーク側では、当該移動局がハンドオーバ先に要求するフェムトセルグループは識別できるが、当該フェムトセルグループに属するどのフェムトセルであるかは識別することは難しい。よってこのような場合も、マクロセルからフェムトセルへのハンドオーバが円滑に実行できない事態が生じる。
【００２７】
また、フェムトセルの運用においては、あるフェムトセルの基地局に対して接続が許容されるユーザが限定される場合（例えば、家庭内に設置する場合）と、接続が許容されるユーザが限定されない場合（例えば、喫茶店等の公衆の場に設置する場合）とが想定されている。
【００２８】
ここで、マクロセルからあるフェムトセルへの移動に伴うハンドオーバには、図３に示す３つのケースが考えられる。
【００２９】
すなわち、マクロセルから、１）接続が許容される（接続制限の無い場合を含む）基地局が形成するフェムトセルへの移動、２）接続制限の有る基地局が形成するフェムトセルであり、且つ、接続が許容される基地局が形成するフェムトセルと同じグループ（Ｇｒ１）に属するフェムトセルへの移動、又は、３）接続制限の有る基地局が形成するフェムトセルであり、且つ、接続が許容される基地局が形成するフェムトセルと異なるグループ（Ｇｒ２）に属するフェムトセルへの移動、のいずれかについてのハンドオーバである。
【００３０】
ネットワーク側は、移動局のマクロセルからのハンドオーバが１）の場合であるか、２）の場合であるかを識別することができない、すなわち、同一グループに属すフェムトセル基地局のそれぞれに対して当該移動局の接続が許容されるか否かを識別できないため、ハンドオーバが円滑に実施できない可能性がある。
【００３１】
そこで本実施例では、ネットワーク側が各フェムトセルグループに属す各フェムトセルを識別し、いずれかのフェムトセル基地局への接続を要求する移動局と当該フェムトセル基地局との接続が許容されるか否かを判定できるようにする。
【００３２】
または、移動局からの接続要求をネットワークにより通知されたフェムトセル基地局が、自局と当該移動局との接続が許容されるか否かを判定できるようにする。
（２）本実施例に用いられる装置図
(a)基地局制御装置の例
図４は本実施例に用いられる新基地局制御装置（ＮＲＮＣ）図の例である。
【００３３】
図において、１００はコアネットワーク、２００はＮＲＮＣ、２０１、２１７は伝送路インタフェース、２０２はスイッチ、２０３は制御部、２１１は多重分離部、２１２はソフトハンドオーバ部、２１３は秘匿処理部、２１４は監視部、２１５は同期処理部、２１６はＰａｇｉｎｇ処理部、３００はフェムトセル基地局（Ｆｅｍｔｏ）を示す。
【００３４】
伝送路インタフェース２０１はコアネットワークとの間で送受信する信号の送信処理及び受信処理を行うインタフェースである。
【００３５】
スイッチ２０２は伝送路インタフェース２０１又は２１７で送受信する信号について各種処理を行うブロックとの切り替えを行う。
【００３６】
制御部２０３には、呼処理機能２０４、リソース管理部２０５、信号測定の指示及び測定結果の分析を行う測定制御機能２０６、ハンドオーバ制御機能２０７、装置監視制御機能２０８、自装置の配下にある基地局を管理する基地局管理制御機能２０９、移動局と自装置の配下にある基地局との接続の管理を行う接続管理制御機能２１０が含まれる。
【００３７】
接続管理機能２１０は、例えば、自装置の通信エリアと通信エリアを共有する各フェムトセルについての識別情報、当該各フェムトセルが属するフェムトセルグループについての識別情報、及び当該各フェムトセルを形成する基地局との接続が許容される移動局についての識別情報のいずれかを対応付けた対応表を記憶する。接続管理機能２１０は当該対応表に基づき、後述の図９（Ｓ７）、図１２（Ｓ２１及びＳ２２）、図１４（Ｓ３７及びＳ３８）、図１７（Ｓ５２）、図１８（Ｓ５０）に示される処理のうち少なくともいずれかの処理を行う。
【００３８】
多重分離部２１１は、ＭＡＣ（Ｍｅｄｉａ  Ａｃｃｅｓｓ  Ｃｏｎｔｒｏｌ）レイヤにおいて、トランスポートチャネルへの論理チャネルの多重、及び、トランスポートチャネルからの論理チャネルへの分離を行う。
【００３９】
ソフトハンドオーバ処理部２１２は、移動局のソフトハンドオーバに関わる処理を行う。
【００４０】
秘匿処理部２１３は、送受信するデータの秘匿化及び秘匿解除処理を行う。
【００４１】
監視部２１４は、トラフィック監視やセル状態の監視を行う。
【００４２】
同期処理部２１５は、データの送受信処理におけるタイミング管理を行う。
【００４３】
Ｐａｇｉｎｇ処理部２１６は、各位置登録エリア内の移動局に対しての着信通知に関するＰａｇｉｎｇ処理を行う。
【００４４】
伝送路インタフェース２１７はフェムトセル基地局との間で送受信する信号の送信処理及び受信処理を行うインタフェースである。
【００４５】
なお、本実施例に用いられるマクロセルの基地局を制御する基地局制御装置（ＲＮＣ）は、例えば、図４と同様の機能処理ブロックを備えるが、フェムトセル基地局についての伝送路インタフェース２１７の代わりにマクロセル基地局についての伝送路インタフェースを備える構成を有する。また、マクロセルの基地局を制御するＲＮＣは、図４の制御部２０３におけるは接続管理機能を備えなくてよい。
(b)基地局装置の例
図５は本実施例に用いられるフェムトセル基地局装置図の例である。
【００４６】
図において、３０１は伝送路インタフェース、３０２はスイッチ、３０３は制御部、３０８は符号処理部、３０９は無線インタフェース、４００は移動局を示す。なお、図４と重複する部分には同一の符号を付し説明を省略する。
【００４７】
伝送路インタフェース３０１は、ＮＲＮＣ２００との間で送受信する信号の送信処理及び受信処理を行うインタフェースである。
【００４８】
スイッチ３０２は伝送路インタフェース３０１又は無線インタフェース３０９で送受信する信号について各種処理を行うブロックとの切り替えを行う。
【００４９】
制御部３０３には、リソース管理機能３０４、信号測定を実施する測定機能３０５、装置監視制御機能３０６が含まれる。
【００５０】
また、制御部３０３はＵＥ（移動局）登録管理機能３０７を備える場合がある。ＵＥ登録管理機能３０７は自局に対する接続を許容する移動局のリストを記憶する。なお、当該リストは、例えば自局に対する接続を許容する移動局の登録端末（移動局）番号のリストである。ＵＥ登録管理機能３０７は記憶している当該リストに基づき、例えば、後述の図１７（Ｓ５３）、図１８（Ｓ５７及びＳ５８）、図１９（Ｓ６３及びＳ６４）に示される処理のうち少なくともいずれかの処理を行う。
【００５１】
符号処理部３０８は、送信データの符号化及び受信データの復号化を行う。
【００５２】
無線インタフェース３０９は、移動局４００との間で送受信する信号の送信処理又は受信処理を行うインタフェースである。
(c)移動局の例
図６は本実施例に用いられる移動局装置図の例である。
【００５３】
図において、４０１は信号送受信部、４０２はアナログ・ベースバンド処理部、４０３はデジタル・ベースバンド処理部、４０４は表示部、４０５はアプリケーション処理部、４０６は電源機能部、４０７は外部機能を示す。
【００５４】
信号送受信部４０１は、アンテナを介して受信した受信信号をキャリア周波数のＲＦ（Ｒａｄｉｏ  Ｆｒｅｑｕｅｎｃｙ）信号から中間周波数のＩＦ（Ｉｎｔｅｒｍｅｄｉａｔｅ  Ｆｒｅｑｕｅｎｃｙ）信号へと変換し、直交検波により復調する。また、信号送受信部４０１は、送信信号を直交変調し、ＩＦ信号をキャリア周波数のＲＦ信号へと変換しアンテナを介して送信する。
【００５５】
アナログ・ベースバンド処理部４０２は、受信信号について、アナログ−デジタル変換を行い、ベースバンド信号を取り出す。また、アナログ・ベースバンド処理部４０２は、送信信号について、ベースバンド信号のデジタル−アナログ変換を行う。
【００５６】
デジタル・ベースバンド処理部４０３は、ＤＳＰ（Ｄｉｇｉｔａｌ  Ｓｉｇｎａｌ  Ｐｒｏｃｅｓｓｏｒ）、ＣＰＵ（Ｃｅｎｔｒａｌ  Ｐｒｏｃｅｓｓｉｎｇ  Ｕｎｉｔ）、メモリ等を備える。
【００５７】
デジタル・ベースバンド処理部４０３は、ベースバンド信号の符号化及び復号化、データマッピング、秘匿処理等の処理を行う。また、上位レイヤにおいて無線管理プロトコル処理、呼制御や移動管理等が行われる。
【００５８】
また、デジタル・ベースバンド処理部４０３は、ハンドオーバに関する処理を行う。例えば、基地局から送信された報知情報を元に隣接セルの信号品質測定（例えば、信号対雑音比の測定）を行う。
【００５９】
さらに、デジタル・ベースバンド処理部４０３は、ハンドオーバやＣｅｌｌ  Ｕｐｄａｔｅ等の通信接続の手順で送信される各種メッセージ（例えば、Ｍｅａｓｕｒｅｍｅｎｔ  Ｒｅｐｏｒｔ、Ｃｅｌｌ  Ｕｐｄａｔｅ等）を生成する。
【００６０】
表示部４０４は、例えばＬＣＤ（Ｌｉｑｕｉｄ  Ｃｒｙｓｔａｌ  Ｄｉｓｐｌａｙ）及びＬＣＤドライバを備え、デジタル・ベースバンド処理部４０３において処理されたデータを表示する。
【００６１】
アプリケーション処理部４０５は、ＣＰＵやメモリを備え、各種のソフトウェア処理を行う。アプリケーション処理部４０５が行う処理には、例えば、カメラやカードインタフェース等に関するソフトウェア処理がある。
（３）第１実施例
図７は、本実施例が適用される通信システムの例を示す。
【００６２】
マクロセルの基地局（以下、ＢＴＳ：Ｂａｓｅ  Ｔｒａｎｃｅｉｖｅｒ  Ｓｔａｔｉｏｎと表記することがある）は、当該マクロセルに在圏する移動局（以下、ＵＥ：Ｕｓｅｒ  Ｅｑｕｉｐｍｅｎｔと表記することがある）と通信を行っている。
【００６３】
また、マクロセルのエリア内には複数のフェムトセル基地局（Ｆｅｍｔｏ）の通信エリアであるフェムトセルが存在する。それぞれのフェムトセルにはフェムトセル番号及びフェムトセルグループ名が設定されている。例えば、フェムトセル番号Ｃ１１〜１４のフェムトセルは、フェムトセルグループＧｒＡに属し、フェムトセル番号Ｃ２１〜２５のフェムトセルは、フェムトセルグループＧｒＢに属す。
【００６４】
なお、以下フェムトセル番号Ｃｎｍ（ｎ＝１、２、…、ｍ＝１、２、…）のフェムトセルＣｎｍ、フェムトセルＣｎｍの形成する基地局をＦｅｍｔｏＣｎｍと表記することがある。
【００６５】
ＢＴＳはＲＮＣにより制御され、ＦｅｍｔｏＣ１１〜１４、２１〜２５はＮＲＮＣにより制御される。
【００６６】
本実施例では、ＮＲＮＣが、図８に示すような、フェムトセル番号、フェムトセルグループ名、及び、登録端末（移動局）番号（ＵＥ−ＩＤ）を対応付けた対応表を記憶している。
【００６７】
ここで、登録端末とは、あるフェムトセル基地局が通信接続の制限を行っている場合に、当該フェムトセルで通信を行えるよう登録している移動局、すなわち、当該フェムトセルを形成する基地局に対して接続が許容される移動局を示す。
【００６８】
図の対応表において、例えば、フェムトセルＣ１１は、フェムトセルグループＧｒＡに属し、ＦｅｍｔｏＣ１１に対して接続が許容される移動局はＮ１であることが示されている。
【００６９】
なお、図は、各フェムトセルについて登録されている移動局が一つの場合であるが、各フェムトセルについて複数の移動局を登録することも可能である。また、ある移動局を複数のフェムトセルについて登録することも可能である。
【００７０】
図９は、本実施例におけるハンドオーバのフローを示す。
【００７１】
Ｓ１において、ＲＮＣの指示に応じて、ＢＴＳはフェムトセルを含む隣接セルについての同期情報を、マクロセルに在圏する移動局に送信する。ここで、ＢＴＳが報知する同期情報は、個々のフェムトセルではなくフェムトセルグループ毎（ＧｒＡ及びＧｒＢ）の情報である。
【００７２】
Ｓ２において、移動局は、Ｓ１でＢＴＳが送信した報知情報を受信する。
【００７３】
Ｓ３において、移動局は、Ｓ２で受信した報知情報に含まれる情報に基づき、フェムトセルグループＧｒＡ及びＧｒＢと、在圏するマクロセル（以下、マクロセルＸとする）とについて、受信信号の品質測定を行う。例えば、各フェムトセルグループに対応する周波数の信号について信号対雑音比（ＳＮ比：Ｓｉｇｎａｌ  ｔｏ  Ｎｉｏｓｅ  ｒａｔｉｏ）を測定する。図では、品質を示す値は、フェムトセルグループＧｒＡがａａａ、フェムトセルグループＧｒＢがｂｂｂ、マクロセルＸがｃｃｃである。ここで、品質を示す値が大きいほど、当該セルについての通信品質が良好であることを示す。
【００７４】
Ｓ４において、移動局は、フェムトセルグループＧｒＡの信号品質の値がセルＸの信号品質の値よりも大きくなったこと（ａａａ＞ｃｃｃ）を検出すると、ＢＴＳを介してＲＮＣへＭｅａｓｕｒｅｍｅｎｔ  Ｒｅｐｏｒｔを送る。Ｍｅａｓｕｒｅｍｅｎｔ  Ｒｅｐｏｒｔにより移動局からＲＮＣへ送信されるパラメータには、ＵＥ−ＩＤ“Ｎ１”及び品質測定結果“ＧｒＡ：ａａａ、ＧｒＢ：ｂｂｂ、Ｘ：ｃｃｃ”がある。
【００７５】
Ｓ５において、ＲＮＣは、Ｓ４でＭｅａｓｕｒｅｍｅｎｔ  Ｒｅｐｏｒｔにより受信したパラメータに基づき、ａａａ＞ｃｃｃを判定し、セルＸからフェムトセルＧｒＡに属すフェムトセルへのハンドオーバの実行を決定する。
【００７６】
Ｓ６において、ＲＮＣはＮＲＮＣに対しＲａｄｉｏ  Ｌｉｎｋ  Ｓｅｔｕｐを送る。Ｒａｄｉｏ  Ｌｉｎｋ  ＳｅｔｕｐによりＲＮＣからＮＲＮＣへ送信されるパラメータには、ＵＥ−ＩＤ“Ｎ１”、フェムトセルグループ名“ＧｒＡ”、及び、在圏セル名“Ｘ”が含まれる。
【００７７】
Ｓ７において、ＮＲＮＣは、自装置が記憶する図８の対応表を参照し、Ｓ６でＲａｄｉｏ  Ｌｉｎｋ  Ｓｅｔｕｐにより受信したパラメータのＵＥ−ＩＤ及びフェムトセルグループ名に対応するフェムトセル番号の有無、すなわち、当該ＵＥ−ＩＤに示される移動局との接続が許容される基地局が形成するフェムトセルが、当該フェムトセルグループに存在するか否かを判定する。図では、“Ｎ１”及び“ＧｒＡ”に対応するフェムトセル番号“Ｃ１１”を取得する。
【００７８】
Ｓ８において、ＮＲＮＣは、Ｓ７で取得したフェムトセル番号に基づき、ＦｅｍｔｏＣ１１にＲａｄｉｏ  Ｌｉｎｋ  Ｓｅｔｕｐを送る。Ｒａｄｉｏ  Ｌｉｎｋ  ＳｅｔｕｐによりＮＲＮＣからフェムトセルＣ１１に送信されるパラメータには、ＵＥ−ＩＤ“Ｎ１”、フェムトセルグループ名“ＧｒＡ”、及び、在圏セル名“Ｘ”が含まれる。
【００７９】
Ｓ９において、ＦｅｍｔｏＣ１１は、Ｓ８で受信したＲａｄｉｏ  Ｌｉｎｋ  Ｓｅｔｕｐに対してＲａｄｉｏ  Ｌｉｎｋ  Ｓｅｔｕｐ  Ｒｅｓｐｏｎｓｅを送信することにより、ＮＲＮＣへ応答する。
【００８０】
Ｓ１０において、ＮＲＮＣは、Ｓ９で受信したＲａｄｉｏ  Ｌｉｎｋ  Ｓｅｔｕｐ  ＲｅｓｐｏｎｓｅをＲＮＣへ転送する。Ｒａｄｉｏ  Ｌｉｎｋ  Ｓｅｔｕｐ  Ｒｅｓｐｏｎｓｅの転送により、フェムトセル番号“Ｃ１１”がＲＮＣへ通知される。
【００８１】
以上により、ＲＮＣは、移動局と接続が許容される基地局が形成するフェムトセルに対してのハンドオーバ手順を実行することが可能となる。
【００８２】
なお、ＲＮＣがフェムトセル番号を通知された後のハンドオーバの手順は、例えば、図１０及び図１１に示される以下のステップによる。
【００８３】
図１０及び図１１において、ＲＮＣは、ＮＲＮＣ及びＦｅｍｔｏＣ１１を介して移動局に対して物理チャネルの設定変更を通知するＰｈｙｓｉｃａｌ  Ｃｈａｎｎｅｌ  Ｒｅｃｏｎｆｉｇｕｒａｔｉｏｎを送信する（Ｓ１１、Ｓ１５）。
【００８４】
図１０において、移動局がＦｅｍｔｏＣ１１の通信エリアに在圏し、Ｐｈｙｓｉｃａｌ  Ｃｈａｎｎｅｌ  Ｒｅｃｏｎｆｉｇｕｒａｔｉｏｎの受信に成功した場合は、Ｐｈｙｓｉｃａｌ  Ｃｈａｎｎｅｌ  Ｒｅｃｏｎｆｉｇｕｒａｔｉｏｎ  Ｃｏｍｐｌｅｔｅを、ＦｅｍｔｏＣ１１を介してＲＮＣへ送信することにより応答する（Ｓ１２）。
【００８５】
ＲＮＣは、移動局から送信されたＰｈｙｓｉｃａｌ  Ｃｈａｎｎｅｌ  Ｒｅｃｏｎｆｉｇｕｒａｔｉｏｎ  Ｃｏｍｐｌｅｔｅを受信すると、ＢＴＳに対しＲａｄｉｏ  Ｌｉｎｋ  Ｄｅｌｅｔｉｏｎ  Ｒｅｑｕｅｓｔを送る（Ｓ１３）。
【００８６】
ＢＴＳが、当該Ｒａｄｉｏ  Ｌｉｎｋ  Ｄｅｌｅｔｉｏｎ  Ｒｅｑｕｅｓｔを受信すると、ＲＮＣに対しＲａｄｉｏ  Ｌｉｎｋ  Ｄｅｌｅｔｉｏｎ  Ｒｅｓｐｏｎｓｅを送信することにより応答し、移動局との接続を開放する（Ｓ１４）。
【００８７】
一方、図１１において、移動局がＦｅｍｔｏＣ１１の通信エリアに在圏せず、Ｐｈｙｓｉｃａｌ  Ｃｈａｎｎｅｌ  Ｒｅｃｏｎｆｉｇｕｒａｔｉｏｎを受信できなかった場合は、ＲＮＣにおいて応答受信タイムアウトによりハンドオーバの失敗を検出する（Ｓ１６）。
【００８８】
ＲＮＣは、ＮＲＮＣを介してＦｅｍｔｏＣ１１に対しＲａｄｉｏ  Ｌｉｎｋ  Ｄｅｌｅｔｉｏｎ  Ｒｅｑｕｅｓｔを送信する（Ｓ１７）。
【００８９】
ＦｅｍｔｏＣ１１は、Ｒａｄｉｏ  Ｌｉｎｋ  Ｄｅｌｅｔｉｏｎ  Ｒｅｑｕｅｓｔを受信すると、Ｒａｄｉｏ  Ｌｉｎｋ  Ｄｅｌｅｔｉｏｎ  ＲｅｓｐｏｎｓｅをＮＲＮＣを介してＲＮＣへ送信することにより応答し、移動局との接続を開放する（Ｓ１８）。
（４）第１実施例の変形例
前述の第１実施例は、主に、ＲＲＣ（Ｒａｄｉｏ  Ｒｅｓｏｕｒｓｅ  Ｃｏｎｔｒｏｌ）のプロトコル状態が、Ｃｅｌｌ＿ＤＣＨ（Ｄｅｄｉｃａｔｅｄ  ＣＨａｎｎｅｌ）状態、すなわち、移動局に個別チャネルが割り当てられ、Ｄｏｗｎｌｉｎｋ及びＵｐｌｉｎｋで音声データやパケットデータの送受信が可能な状態である場合に適用される。
【００９０】
一方、本実施例は、Ｃｅｌｌ＿ＦＡＣＨ（Ｆｏｗａｒｄ  Ａｃｃｅｓｓ  ＣＨａｎｎｅｌ）状態、又は、Ｃｅｌｌ＿ＰＣＨ（Ｐａｇｉｎｇ  ＣＨａｎｎｅｌ）状態である場合にも適用される。
【００９１】
ここで、Ｃｅｌｌ＿ＦＡＣＨ状態では、移動局に個別チャネルが割り当てられず、ＤｏｗｎｌｉｎｋではＦＡＣＨにより制御情報やユーザデータを受信し、Ｕｐｌｉｎｋでは共通チャネルにより随時パケットデータを送信することができる。また、Ｃｅｌｌ＿ＰＣＨ状態では、移動局に個別チャネルが割り当てられず、ＤｏｗｎｌｉｎｋではＰＣＨによりユーザデータを受信し、Ｕｐｌｉｎｋでは通常データ送信用のチャネルを有さないため、データ送信には所定の手順に従うことを要する。
【００９２】
Ｃｅｌｌ＿ＦＡＣＨ状態又はＣｅｌｌ＿ＰＣＨ状態のとき、移動局はセル間を移動する際、ハンドオーバの要求は行わないが、セルの更新をネットワークに対し通知するＣｅｌｌ  Ｕｐｄａｔｅを実行する。
【００９３】
以下、本実施例について、図７と同様の通信システムにおいてマクロセルでデータ受信等を行っていた移動局が、マクロセルと通信エリアを共有するフェムトセルへ移動する場合を例に説明する。
【００９４】
なお、本実施例では、第１実施例と同様、ＮＲＮＣが、図８に示すような、フェムトセル番号、フェムトセルグループ名、及び、登録端末（移動局）番号（ＵＥ−ＩＤ）を対応付けた対応表を記憶している。
【００９５】
図１２は本実施例でのＣｅｌｌ  Ｕｐｄａｔｅのフローを示す。
【００９６】
Ｓ１９において、移動局は、移動先のＦｅｍｔｏＣ１１に対しＣｅｌｌ  Ｕｐｄａｔｅを送信する。Ｃｅｌｌ  Ｕｐｄａｔｅにより、移動局からＦｅｍｔｏＣ１１へ、ＵＥ−ＩＤ“Ｎ１”及び元の在圏セル情報（ここではマクロセルＸについての情報）が送られる。
【００９７】
Ｓ２０において、ＦｅｍｔｏＣ１１は、Ｓ１９で受信したＣｅｌｌ  Ｕｐｄａｔｅに基づき、ＮＲＮＣに対しＵｐｌｉｎｋ  Ｓｉｇｎａｌｉｎｇ  Ｔｒａｎｓｆｅｒ  Ｉｎｄｉｃａｔｉｏｎを送る。Ｕｐｌｉｎｋ  Ｓｉｇｎａｌｉｎｇ  Ｔｒａｎｓｆｅｒ  ＩｎｄｉｃａｔｉｏｎによりＦｅｍｔｏＣ１１からＮＲＮＣへ送信されるパラメータには、ＵＥ−ＩＤ“Ｎ１”、フェムトセル番号“Ｃ１１”、及び、元の在圏セル名“Ｘ”が含まれる。
【００９８】
Ｓ２１において、ＮＲＮＣは、自装置が記憶する図８の対応表を参照し、Ｓ２０でＵｐｌｉｎｋ  Ｓｉｇｎａｌｉｎｇ  Ｔｒａｎｓｆｅｒ  Ｉｎｄｉｃａｔｉｏｎにより受信したパラメータの、ＵＥ−ＩＤとフェムトセル番号とが対応する組み合わせの有無、すなわち、当該ＵＥ−ＩＤに示される移動局が当該フェムトセル番号に示されるフェムトセルを形成する基地局に対して接続が許容されるか否かを判定する。図では、ＵＥ−ＩＤ“Ｎ１”とフェムトセル番号“Ｃ１１”とが対応する組み合わせの有無を確認する。
【００９９】
Ｓ２２において、ＵＥ−ＩＤ“Ｎ１”とフェムトセル番号“Ｃ１１”との組み合わせが対応表に「ある」と判定する。また、「ある」と判定された場合は、対応表を参照し、フェムトセル番号“Ｃ１１”に対応するフェムトセルグループ名“ＧｒＡ”を取得する。
【０１００】
Ｓ２３において、ＮＲＮＣは、Ｓ２０でＵｐｌｉｎｋ  Ｓｉｇｎａｌｉｎｇ  Ｔｒａｎｓｆｅｒ  Ｉｎｄｉｃａｔｉｏｎにより受信したパラメータに示される元の在圏セル名“Ｘ”に基づき、マクロセルＸに対応するＲＮＣへＵｐｌｉｎｋ  Ｓｉｇｎａｌｉｎｇ  Ｔｒａｎｓｆｅｒ  Ｉｎｄｉｃａｔｉｏｎを送る。Ｕｐｌｉｎｋ  Ｓｉｇｎａｌｉｎｇ  Ｔｒａｎｓｆｅｒ  ＩｎｄｉｃａｔｉｏｎによりＮＲＮＣからＲＮＣに送信されるパラメータには、ＵＥ−ＩＤ“Ｎ１”、フェムトセルグループ名“ＧｒＡ”、及び、在圏セル名“Ｘ”が含まれる。
【０１０１】
以上により、ＲＮＣは、移動局との接続が許容される基地局が形成するフェムトセルに対してＣｅｌｌ  Ｕｐｄａｔｅの手順を行うことが可能となる。
【０１０２】
なお、ＲＮＣがＵｐｌｉｎｋ  Ｓｉｇｎａｌｉｎｇ  Ｔｒａｎｓｆｅｒ  Ｉｎｄｉｃａｔｉｏｎを受信した後のＣｅｌｌ  Ｕｐｄａｔｅの手順は、例えば、図１３に示される以下のステップによる。
【０１０３】
図１３において、Ｕｐｌｉｎｋ  Ｓｉｇｎａｌｉｎｇ  Ｔｒａｎｓｆｅｒ  Ｉｎｄｉｃａｔｉｏｎを受信したＲＮＣは、移動局の管理を行う基地局制御装置を変更するＲｅｌｏｃａｉｏｎの要否を判定し、Ｒｅｌｏｃａｔｉｏｎを要すると判定する場合は、上位局のＭＭＳ（Ｍｕｌｔｉｍｅｄｉａ  Ｍｅｓｓａｇｉｎｇ  Ｓｅｒｖｉｃｅ）に対しＲｅｌｏｃａｔｉｏｎ  Ｒｅｑｕｉｒｅｄを送る（Ｓ２４）。
【０１０４】
ＭＭＳは、ＲＮＣからＲｅｌｏｃａｔｉｏｎ  Ｒｅｑｕｉｒｅｄを受信すると、ＮＲＮＣを介してＦｅｍｔｏＣ１１との間でＲｅｌｏｃａｔｉｏｎ  Ｐｒｏｃｅｄｕｒｅ（Ｒｅｌｏｃａｔｉｏｎ手順）を実行する。Ｒｅｌｏｃａｔｉｏｎ手順では、ＳＣＣＰ  Ｃｏｎｎｅｃｔｉｏｎ  Ｓｅｔｕｐ（Ｓ２５）、Ｒｅｌｏｃａｔｉｏｎ  Ｒｅｑｕｅｓｔ（Ｓ２６）、Ｉｕ  Ｂｅａｒｅｒ  Ｓｅｔｕｐ（Ｓ２７）、Ｒｅｌｏｃａｔｉｏｎ  Ｒｅｑｕｅｓｔ  Ａｃｋｎｗｌｅｄｇｅ（Ｓ２８）の送受信が行われる。
【０１０５】
ＦｅｍｔｏＣ１１は、移動局に対しＣｅｌｌ  Ｕｐｄａｔｅ  Ｃｏｎｆｉｒｍを通知する（Ｃ２９）。また、ＦｅｍｔｏＣ１１は、上位局に対しＲｅｌｏｃａｔｉｏｎ  Ｄｅｔｅｃｔを通知する（Ｓ３０）。
【０１０６】
Ｃｅｌｌ  Ｕｐｄａｔｅ  Ｃｏｎｆｉｒｍを受信した移動局は、ＦｅｍｔｏＣ１１に対しＰｈｙｓｉｃａｌ  Ｃｈａｎｎｅｌ  Ｒｅｃｏｎｆｉｇｕｒａｔｉｏｎ  Ｃｏｍｐｌｅｔｅを通知する（Ｓ３１）。
【０１０７】
ＦｅｍｔｏＣ１１は、Ｐｈｙｓｉｃａｌ  Ｃｈａｎｎｅｌ  Ｒｅｃｏｎｆｉｇｕｒａｔｉｏｎ  Ｃｏｍｐｌｅｔｅを受信すると、上位局に対しＲｅｌｏｃａｔｉｏｎの完了を通知するＲｅｌｏｃａｔｉｏｎ  Ｃｏｍｐｌｅｔｅを送る（Ｓ３２）。
【０１０８】
ＭＭＳは、Ｒｅｌｏｃａｔｉｏｎの完了が通知されると、ＲＮＣとの間のＩｕインタフェースのリンクの解放を要求するＩｕ  Ｒｅｌｅａｓｅ  Ｃｏｍｍａｎｄを送信する（Ｓ３３）。ＲＮＣは、Ｉｕ  Ｒｅｌｅａｓｅ  Ｃｏｍｍａｎｄを受信すると、ＭＭＳとの間のＩｕインタフェースのリンクを解放する。
【０１０９】
一方、図１４は、移動局がＣｅｌｌ  Ｕｐｄａｔｅを要求するＦｅｍｔｏＣ１４が、接続制限により当該移動局との接続を許容しない場合のフローを示す。
【０１１０】
Ｓ３５において、移動局は、移動先のＦｅｍｔｏＣ１４に対しＣｅｌｌ  Ｕｐｄａｔｅを送信する。Ｃｅｌｌ  Ｕｐｄａｔｅにより、移動局からＦｅｍｔｏＣ１４へ、ＵＥ−ＩＤ“Ｎ１”及び元の在圏セル情報（マクロセルＸについての情報）が送られる。
【０１１１】
Ｓ３６において、ＦｅｍｔｏＣ１４は、Ｓ３５で受信したＣｅｌｌ  Ｕｐｄａｔｅに基づき、ＮＲＮＣに対しＵｐｌｉｎｋ  Ｓｉｇｎａｌｉｎｇ  Ｔｒａｎｓｆｅｒ  Ｉｎｄｉｃａｔｉｏｎを送る。Ｕｐｌｉｎｋ  Ｓｉｇｎａｌｉｎｇ  Ｔｒａｎｓｆｅｒ  ＩｎｄｉｃａｔｉｏｎによりＦｅｍｔｏＣ１１からＮＲＮＣへ送信されるパラメータには、ＵＥ−ＩＤ“Ｎ１”、フェムトセル番号“Ｃ１４”、及び、元の在圏セル名“Ｘ”が含まれる。
【０１１２】
Ｓ３７において、ＮＲＮＣは、自装置が記憶する図８の対応表を参照し、Ｓ３６でＵｐｌｉｎｋ  Ｓｉｇｎａｌｉｎｇ  Ｔｒａｎｓｆｅｒ  Ｉｎｄｉｃａｔｉｏｎにより受信したパラメータの、ＵＥ−ＩＤとフェムトセル番号とが対応する組み合わせの有無を判定する。図では、ＵＥ−ＩＤ“Ｎ１”とフェムトセル番号“Ｃ１４”とが対応する組み合わせの有無を確認する。
【０１１３】
Ｓ３８において、ＵＥ−ＩＤ“Ｎ１”とフェムトセル番号“Ｃ１４”との組み合わせが対応表に「ない」と判定する。
【０１１４】
Ｓ３９において、ＮＲＮＣは、ＦｅｍｔｏＣ１４にＵｐｌｉｎｋ  Ｓｉｇｎａｌｉｎｇ  Ｔｒａｎｓｆｅｒ  ＮＧを送信し、移動局とＦｅｍｔｏＣ１４との間のＣｅｌｌ  ＵｐｄａｔｅがＮＧであることを通知する。
【０１１５】
Ｓ４０において、ＦｅｍｔｏＣ１４は、移動局とのリンクを確立できないため、移動局に対しＲＲＣ  Ｃｏｎｎｅｃｔｉｏｎ  Ｒｅｌｅａｓｅを通知する。
【０１１６】
以上により、移動局が接続制限されている基地局の形成するフェムトセルに対してはＣｅｌｌ  Ｕｐｄａｔｅの手順が実行されないよう処理することが可能となる。
【０１１７】
なお、図１５に、図１４でフェムトセルへのＣｅｌｌ  Ｕｐｄａｔｅができなかった移動局が再度マクロセル基地局との接続を確保するまでのフローの例を示す。
【０１１８】
ＲＲＣ  Ｃｏｎｎｎｅｃｔｉｏｎ  Ｒｅｌｅａｓｅを受信した移動局はＩｄｌｅ状態となる（Ｓ４１）。
【０１１９】
移動局は、在圏するＦｅｍｔｏＣ１４への位置登録手順を開始するが、ＦｅｍｔｏＣ１４は、接続制限により当該移動局との接続を行うことはできないので、当該移動局からの位置登録要求に対して接続拒否の手順を実行する（Ｓ４２）。
【０１２０】
ＦｅｍｔｏＣ１４により接続拒否された移動局は、セル探索を行い、マクロセルＸへＣａｍｐ  ｏｎする（Ｓ４３）。
【０１２１】
移動局は、再度マクロセルＸへの位置登録要求を行い、位置登録手順を完了する（Ｓ４４）。移動局は呼接続の再設定のため、マクロセルＸにおいてＣｅｌｌ  Ｕｐｄａｔｅ手順を実行する（Ｓ４５）。
（５）第２実施例
本実施例が適用される通信システムは、図７に示されるものと同様とする。
【０１２２】
本実施例では、ＮＲＮＣが、図１６に示すような、フェムトセル番号及びフェムトセルグループ名を対応付けた対応表を記憶している。
【０１２３】
図１６の対応表において、例えば、フェムトセルＣ１１は、フェムトセルグループＧｒＡに属すことが示されている。
【０１２４】
また、本実施例では、各フェムトセル基地局（Ｆｅｍｔｏ）が、自局と通信することを登録しているユーザリスト、すなわち、登録端末（移動局）番号（ＵＥ−ＩＤ）のリストを記憶している。各フェムトセルについて登録される移動局は一つでも、複数でもよい。更に、ある移動局を複数のフェムトセルについて登録することも可能である。
【０１２５】
図１７は、本実施例におけるハンドオーバのフローを示す。
【０１２６】
Ｓ４６において、ＲＮＣの指示に応じて、ＢＴＳはフェムトセルを含む隣接セルについての同期情報を、マクロセルに在圏する移動局に送信する。ここで、ＢＴＳが報知する同期情報は、個々のフェムトセルではなくフェムトセルグループ毎（ＧｒＡ及びＧｒＢ）の情報である。
【０１２７】
Ｓ４７において、移動局は、Ｓ４６でＢＴＳが送信した報知情報を受信する。
【０１２８】
Ｓ４８において、移動局は、Ｓ４７で受信した報知情報に含まれる情報に基づき、フェムトセルグループＧｒＡ及びＧｒＢと、在圏するマクロセル（セルＸ）とについて、受信信号の品質測定を行う。例えば、各フェムトセルグループに対応する周波数の信号について信号対雑音比（ＳＮ比）を測定する。図では、品質を示す値は、フェムトセルグループＧｒＡがａａａ、フェムトセルグループＧｒＢがｂｂｂ、セルＸがｃｃｃである。
【０１２９】
Ｓ４９において、移動局は、フェムトセルグループＧｒＡの信号品質の値がセルＸの信号品質の値よりも大きくなったこと（ａａａ＞ｃｃｃ）を検出すると、ＢＴＳを介してＲＮＣへＭｅａｓｕｒｅｍｅｎｔ  Ｒｅｐｏｒｔを送る。Ｍｅａｓｕｒｅｍｅｎｔ  Ｒｅｐｏｒｔにより移動局からＲＮＣへ送信されるパラメータには、ＵＥ−ＩＤ“Ｎ１”及び品質測定結果“ＧｒＡ：ａａａ、ＧｒＢ：ｂｂｂ、Ｘ：ｃｃｃ”がある。
【０１３０】
Ｓ５０において、ＲＮＣは、Ｓ４９でＭｅａｓｕｒｅｍｅｎｔ  Ｒｅｐｏｒｔにより受信したパラメータに基づき、ａａａ＞ｃｃｃを判定し、マクロセルＸからフェムトセルＧｒＡに属すフェムトセルへのハンドオーバの実行を決定する。
【０１３１】
Ｓ５１において、ＲＮＣはＮＲＮＣに対しＲａｄｉｏ  Ｌｉｎｋ  Ｓｅｔｕｐを送る。Ｒａｄｉｏ  Ｌｉｎｋ  ＳｅｔｕｐによりＲＮＣからＮＲＮＣへ送信されるパラメータには、ＵＥ−ＩＤ“Ｎ１”、フェムトセルグループ名“ＧｒＡ”、及び、在圏セル名“Ｘ”がある。
【０１３２】
Ｓ５２において、ＮＲＮＣは、自装置が記憶する図１６の対応表を参照し、Ｓ５１でＲａｄｉｏ  Ｌｉｎｋ  Ｓｅｔｕｐにより受信したパラメータに示されるフェムトセルグループ名に対応するフェムトセル番号のフェムトセル基地局すべてにＲａｄｉｏ  Ｌｉｎｋ  Ｓｅｔｕｐを送信する。図では、ＮＲＮＣは、“ＧｒＡ”に対応するフェムトセル番号“Ｃ１１”“Ｃ１２”“Ｃ１３”“Ｃ１４”の基地局、Ｆｅｍｔｏ１１、１２、１３、１４のそれぞれにＲａｄｉｏ  Ｌｉｎｋ  Ｓｅｔｕｐを送信する。
【０１３３】
Ｓ５３において、ＦｅｍｔｏＣ１１〜１４のそれぞれは、自局が記憶するユーザリストを参照し、Ｒａｄｉｏ  Ｌｉｎｋ  Ｓｅｔｕｐにより受信したパラメータに示されるＵＥ−ＩＤ“Ｎ１”が当該リストに存在するか否かを判定する。図において、ＦｅｍｔｏＣ１１はＵＥ−ＩＤ“Ｎ１”がリストに「ある」と判定し、ＦｅｍｔｏＣ１２〜１４はＵＥ−ＩＤ“Ｎ１”がリストに「ない」と判定する。
【０１３４】
Ｓ５４において、ＦｅｍｔｏＣ１１は、Ｓ５３で受信したＲａｄｉｏ  Ｌｉｎｋ  Ｓｅｔｕｐに対して、ＮＲＮＣに、Ｒａｄｉｏ  Ｌｉｎｋ  Ｓｅｔｕｐ  Ｒｅｓｐｏｎｓｅを送信することにより応答する。また、ＮＲＮＣは受信したＲａｄｉｏ  Ｌｉｎｋ  Ｓｅｔｕｐ  ＲｅｓｐｏｎｓｅをＲＮＣへ転送する。Ｒａｄｉｏ  Ｌｉｎｋ  Ｓｅｔｕｐ  Ｒｅｓｐｏｎｓｅの転送により、フェムトセル番号“Ｃ１１”がＲＮＣへ通知される。
【０１３５】
Ｓ５５において、ＦｅｍｔｏＣ１２〜１４は、それぞれＲａｄｉｏ  Ｌｉｎｋ  Ｓｅｔｕｐ  ＦａｉｌｕｒｅをＮＲＮＣに対して送信する。
【０１３６】
以上により、ＲＮＣは、移動局との接続が許容される基地局が形成するフェムトセルへのハンドオーバ手順を実行することが可能となる。
【０１３７】
なお、ＲＮＣがフェムトセル番号を通知された後のハンドオーバの実行は、例えば、図１０又は図１１と同様のステップによる。
（６）第２実施例の変形例
本実施例は、第２実施例と同様の通信システムにおいて、移動局がＣｅｌｌ  Ｕｐｄａｔｅを実施する際の処理の例を示すものである。
【０１３８】
以下、本実施例について、図７と同様の通信システムにおいてマクロセルでデータ受信等を行っていた移動局が、マクロセルと通信エリアを共有するフェムトセルへ移動する場合を例に説明する。
【０１３９】
なお、本実施例では、第１実施例と同様、ＮＲＮＣが、図１６に示すような、フェムトセル番号とフェムトセルグループ名とを対応付けた対応表を記憶している。
【０１４０】
また、本実施例では、各フェムトセル基地局（Ｆｅｍｔｏ）が、自局と通信することを登録しているユーザリスト、すなわち、登録端末（移動局）番号（ＵＥ−ＩＤ）のリストを記憶している。各フェムトセルについて登録される移動局は一つでも、複数でもよい。更に、ある移動局を複数のフェムトセルについて登録することも可能である。
【０１４１】
図１８は本実施例でのＣｅｌｌ  Ｕｐｄａｔｅのフローを示す。
【０１４２】
Ｓ５６において、移動局は、移動先のＦｅｍｔｏＣ１１に対しＣｅｌｌ  Ｕｐｄａｔｅを送信する。Ｃｅｌｌ  Ｕｐｄａｔｅにより、移動局からＦｅｍｔｏＣ１１へ、ＵＥ−ＩＤ“Ｎ１”及び元の在圏セル情報（ここではマクロセルＸについての情報）が送られる。
【０１４３】
Ｓ５７において、ＦｅｍｔｏＣ１１は、自局が記憶するユーザリストを参照し、Ｃｅｌｌ  Ｕｐｄａｔｅにより受信したパラメータに示されるＵＥ−ＩＤ“Ｎ１”が当該リストに存在するか否かを判定する。
【０１４４】
Ｓ５８において、ＦｅｍｔｏＣ１１はＵＥ−ＩＤ“Ｎ１”がリストに「ある」と判定する。
【０１４５】
Ｓ５９において、ＦｅｍｔｏＣ１１は、Ｓ５７で受信したＣｅｌｌ  Ｕｐｄａｔｅに基づき、ＮＲＮＣに対しＵｐｌｉｎｋ  Ｓｉｇｎａｌｉｎｇ  Ｔｒａｎｓｆｅｒ  Ｉｎｄｉｃａｔｉｏｎを送る。Ｕｐｌｉｎｋ  Ｓｉｇｎａｌｉｎｇ  Ｔｒａｎｓｆｅｒ  ＩｎｄｉｃａｔｉｏｎによりＦｅｍｔｏＣ１１からＮＲＮＣへ送信されるパラメータには、ＵＥ−ＩＤ“Ｎ１”、フェムトセル番号“Ｃ１１”、及び、元の在圏セル名“Ｘ”が含まれる。
【０１４６】
Ｓ６０において、ＮＲＮＣは、自装置が記憶する図１６の対応表を参照し、Ｓ５９でＵｐｌｉｎｋ  Ｓｉｇｎａｌｉｎｇ  Ｔｒａｎｓｆｅｒ  Ｉｎｄｉｃａｔｉｏｎにより受信したパラメータの、ＵＥ−ＩＤとフェムトセル番号に対応するフェムトセルグループ名を検索する。図では、フェムトセル番号“Ｃ１１”に対応するフェムトセルグループ名を探索し、フェムトセルグループ名“ＧｒＡ”を取得する。
【０１４７】
Ｓ６１において、ＮＲＮＣは、Ｓ６０でＵｐｌｉｎｋ  Ｓｉｇｎａｌｉｎｇ  Ｔｒａｎｓｆｅｒ  Ｉｎｄｉｃａｔｉｏｎにより受信したパラメータに示される元の在圏セル名“Ｘ”に基づき、マクロセルＸに対応するＲＮＣへＵｐｌｉｎｋ  Ｓｉｇｎａｌｉｎｇ  Ｔｒａｎｓｆｅｒ  Ｉｎｄｉｃａｔｉｏｎを送る。Ｕｐｌｉｎｋ  Ｓｉｇｎａｌｉｎｇ  Ｔｒａｎｓｆｅｒ  ＩｎｄｉｃａｔｉｏｎによりＮＲＮＣからＲＮＣに送信されるパラメータには、ＵＥ−ＩＤ“Ｎ１”、フェムトセルグループ名“ＧｒＡ”、及び、在圏セル名“Ｘ”が含まれる。
【０１４８】
以上により、ＲＮＣは、移動局との接続が許容される基地局が形成するフェムトセルに対しＣｅｌｌ  Ｕｐｄａｔｅの手順を行うことが可能となる。
【０１４９】
なお、ＲＮＣがＵｐｌｉｎｋ  Ｓｉｇｎａｌｉｎｇ  Ｔｒａｎｓｆｅｒ  Ｉｎｄｉｃａｔｉｏｎを受信した後のＣｅｌｌ  Ｕｐｄａｔｅの手順は、例えば、図１３と同様のステップによる。
【０１５０】
一方、図１９は、移動局がＣｅｌｌ  Ｕｐｄａｔｅを要求するＦｅｍｔｏＣ１４が、接続制限により当該移動局との接続を許容しない場合のフローを示す。
【０１５１】
Ｓ６２において、移動局は、移動先のフェムトセルを形成するＦｅｍｔｏＣ１４に対しＣｅｌｌ  Ｕｐｄａｔｅを送信する。Ｃｅｌｌ  Ｕｐｄａｔｅにより、移動局からＦｅｍｔｏＣ１４へ、ＵＥ−ＩＤ“Ｎ１”及び元の在圏セル情報（マクロセルＸについての情報）が送られる。
【０１５２】
Ｓ６３において、ＦｅｍｔｏＣ１４は、自局が記憶するユーザリストを参照し、Ｃｅｌｌ  Ｕｐｄａｔｅにより受信したパラメータに示されるＵＥ−ＩＤ“Ｎ１”が当該リストに存在するか否かを判定する。
【０１５３】
Ｓ６４において、ＦｅｍｔｏＣ１４はＵＥ−ＩＤ“Ｎ１”がリストに「ない」と判定する。
【０１５４】
Ｓ６５において、ＦｅｍｔｏＣ１４は、移動局とのリンクを確立できないため、移動局に対しＲＲＣ  Ｃｏｎｎｅｃｔｉｏｎ  Ｒｅｌｅａｓｅを通知する。
【０１５５】
以上により、移動局が接続制限されている基地局が形成するフェムトセルに対してはＣｅｌｌ  Ｕｐｄａｔｅの手順が実行されないよう処理することが可能となる。
【０１５６】
なお、図１９でフェムトセルへのＣｅｌｌ  Ｕｐｄａｔｅができなかった移動局が再度マクロセル基地局との接続を行う手順は、例えば図１５に示すものと同様のフローによる。
（７）その他
本実施例は上記のようなマクロセルとフェムトセルとが通信エリアを共有する通信システムについて適用することを一例としているが、これに限定されるものではなく、マイクロセルやピコセル等通信エリアを共有するセル間一般を含む通信システムにおいて適用してもよい。
【０１５７】
また、フェムトセル、フェムトセルグループ、及び登録された移動端末の識別は上記実施例に示した番号や記号等に限らず、他の識別情報を用いてもよい。
【０１５８】
本実施例は例えばＩＭＴ−２０００等の通信システムに適用することが可能である。
（付記１）
複数のセルを管理する基地局制御装置において、
前記複数のセルのそれぞれと通信エリアを共有するセルを管理する他の基地局制御装置から、該他の基地局制御装置の配下の基地局と接続された移動局の識別情報を受信するとともに、前記複数のセルのうち、該移動局の接続先候補の基地局が形成するセルが属するセルグループ識別情報を受信する受信部と、
前記複数のセルのうち、前記セルグループ識別情報により特定されるセルグループに属するセルであって、前記移動局に対して接続を許容する基地局が形成するセルを前記移動局の識別情報に基づいて特定し、特定した該セルを形成する基地局に対して、該移動局との接続を要求するメッセージを送信させる制御を行う制御部と、
を備えたことを特徴とする基地局制御装置。
（付記２）
前記制御部は、前記セルグループの識別情報により特定されるセルグループに属する複数のセルのうち、前記移動局に対して接続を許容する基地局が形成するセルが特定されないとき、該セルグループに属するいずれのセルを形成する基地局に対しても、該移動局との接続を要求するメッセージを送信させない制御を行うことを特徴とする請求項１記載の基地局制御装置。
（付記３）
前記制御部は、前記特定した前記セルを形成する基地局から、前記移動局に対して接続を許容することを通知するメッセージを受信すると、前記他の基地局制御装置に対して、該メッセージに、該セルの識別子を含めて送信させる制御を行うことを特徴とする請求項１記載の基地局制御装置。
（付記４）
前記制御部は、移動局の識別情報と、該移動局に対して接続を許容する基地局が形成するセルの識別情報と、該接続を許容する基地局が形成するセルが含まれるセルグループの識別情報と、を対応付けた対応表を有し、該対応表に基づいて前記セルの特定を行うことを特徴とする請求項１ないし３記載の基地局制御装置。
（付記５）
複数のセルを管理する基地局制御装置において、
前記複数のセルのそれぞれと通信エリアを共有するセルを管理する他の基地局制御装置から、該他の基地局制御装置の配下の基地局と接続された移動局の接続先候補の基地局が形成するセルが属するセルグループの識別情報を受信する受信部と、
前記セルグループに含まれるセルを形成する各基地局に対し、前記移動局との接続を要求するメッセージを送信する制御を行う制御部と、
を備えたことを特徴とする基地局制御装置。
（付記６）
前記制御部は、前記セルグループに含まれるセルのいずれかから、前記移動局に対して接続を許容することを通知するメッセージを受信すると、前記他の基地局制御装置に対して、該メッセージに該セルの識別情報を含めて送信する制御を行うことを特徴とする請求項５記載の基地局制御装置。
（付記７）
前記制御部は、前記セルグループの識別情報と、該セルグループに含まれるセルの識別情報と、を対応付けた対応表を有し、該対応表に基づいて、該セルグループに含まれるそれぞれのセルを形成する基地局に対し、前記他の基地局制御装置の配下のセルを形成する基地局に接続された移動局との接続を要求するメッセージを送信する制御を行うことを特徴とする請求項５又は６記載の基地局制御装置。
（付記８）
基地局制御装置に管理される複数のセルのいずれかを形成する基地局において、
前記基地局制御装置から、前記複数のセルのそれぞれと通信エリアを共有するセルを管理する他の基地局制御装置の配下の基地局と接続された移動局の識別情報を受信する受信部と、
前記移動局の識別情報に基づいて、自局が接続を許容する移動局を特定し、特定した該移動局に対して接続を許容することを通知するメッセージを、前記基地局制御装置を介して前記他の基地局制御装置へ送信する制御を行う制御部と、
を備えたことを特徴とする基地局。
（付記９）
前記制御部は、前記移動局の識別情報に基づき、自局に対して接続を許容しない移動局を特定すると、前記基地局制御装置に対して、該移動局との接続を許容しないことを通知するメッセージを送信する制御を行うことを特徴とする請求項８記載の基地局。
（付記１０）
複数のセルを管理する基地局制御装置は、
前記複数のセルのそれぞれと通信エリアを共有するセルを管理する他の基地局制御装置から、該他の基地局制御装置の配下の基地局と接続された移動局の識別情報を受信するとともに、前記複数のセルのうち、該移動局の接続先候補の基地局が形成するセルが属するセルグループ識別情報を受信し、
前記複数のセルのうち、前記セルグループ識別情報により特定されるセルグループに属するセルであって、前記移動局に対して接続を許容する基地局が形成するセルを前記移動局の識別情報に基づいて特定し、特定した該セルを形成する基地局に対して、該移動局との接続を要求するメッセージを送信させる制御を行う、
ことを特徴とする通信方法。
（付記１１）
複数のセルを管理する基地局制御装置は、
前記複数のセルのそれぞれと通信エリアを共有するセルを管理する他の基地局制御装置から、該他の基地局制御装置の配下の基地局と接続された移動局の接続先候補の基地局が形成するセルが属するセルグループの識別情報を受信し、
前記セルグループに含まれるセルを形成する各基地局に対し、前記移動局の識別情報を該移動局との接続を要求するメッセージとともに送信する制御を行い、
前記複数のセルのいずれかを形成する基地局は、
前記基地局制御装置から、前記移動局の識別情報を受信し、
前記移動局の識別情報に基づいて、自局が接続を許容する移動局を特定し、特定した該移動局に対して接続を許容することを通知するメッセージを、前記基地局制御装置を介して前記他の基地局制御装置へ送信する制御を行う、
ことを特徴とする通信方法。
【図面の簡単な説明】
【０１５９】
【図１】本発明の実施例が適用される通信システムの例。
【図２】マクロセル内に存在する複数のフェムトセルをグループに分けて管理する通信          システムの例。
【図３】マクロセルからあるフェムトセルへの移動に伴うハンドオーバの例。
【図４】本実施例に用いられる新基地局制御装置（ＮＲＮＣ）図の例。
【図５】本実施例に用いられる基地局装置図の例。
【図６】本実施例に用いられる移動局装置図の例。
【図７】本実施例が適用される通信システムの例。
【図８】第１実施例及び第１実施例の変形例でＮＲＮＣが記憶する対応表の例。
【図９】第１実施例におけるハンドオーバのフロー。
【図１０】第１実施例におけるハンドオーバ手順（ハンドオーバ成功の場合）の例。
【図１１】第１実施例におけるハンドオーバ手順（ハンドオーバ失敗の場合）の例。
【図１２】第１実施例の変形例におけるＣｅｌｌ  Ｕｐｄａｔｅのフロー（Ｃｅｌｌ            Ｕｐｄａｔｅ成功の場合）。
【図１３】第１実施例の変形例におけるＣｅｌｌ  Ｕｐｄａｔｅ手順（Ｃｅｌｌ  Ｕｐ          ｄａｔｅ成功の場合）の例。
【図１４】第１実施例の変形例におけるＣｅｌｌ  Ｕｐｄａｔｅのフロー（Ｃｅｌｌ            Ｕｐｄａｔｅ失敗の場合）。
【図１５】第１実施例の変形例におけるＣｅｌｌ  Ｕｐｄａｔｅ手順（Ｃｅｌｌ  Ｕｐ          ｄａｔｅ失敗の場合）の例。
【図１６】第２実施例及び第２実施例の変形例でＮＲＮＣが記憶する対応表の例。
【図１７】第２実施例におけるハンドオーバのフロー。
【図１８】第２実施例の変形例におけるＣｅｌｌ  Ｕｐｄａｔｅのフロー（Ｃｅｌｌ            Ｕｐｄａｔｅ成功の場合）。
【図１９】第２実施例の変形例におけるＣｅｌｌ  Ｕｐｄａｔｅのフロー（Ｃｅｌｌ            Ｕｐｄａｔｅ成功の場合）。
【符号の説明】
【０１６０】
１００  コアネットワーク
２００  新基地局制御装置
２０１、２１７  伝送路インタフェース
２０２  スイッチ
２０３  制御部
２０４  呼処理機能
２０５  リソース管理機能
２０６  測定制御機能
２０７  ハンドオーバ制御機能
２０８  装置監視制御機能
２０９  基地局管理制御機能
２１０  接続管理制御機能
２１１  多重分離部
２１２  ソフトハンドオーバ部
２１３  秘匿処理部
２１４  監視部
２１５  同期処理部
２１６  Ｐａｇｉｎｇ処理部
３００  フェムトセル
３０１  伝送路インタフェース
３０２  スイッチ
３０３  制御部
３０４  リソース管理機能
３０５  測定機能
３０６  装置監視制御機能
３０７  ＵＥ登録管理機能
３０８  符号処理部
３０９  無線インタフェース
４００  移動局
４０１  送受信部
４０２  アナログ・ベースバンド処理部
４０３  デジタル・ベースバンド処理部
４０４  表示部
４０５  アプリケーション処理部
【図１】
2010056585.tif 000003
【図２】
2010056585.tif 000004
【図３】
2010056585.tif 000005
【図４】
2010056585.tif 000006
【図５】
2010056585.tif 000007
【図６】
2010056585.tif 000008
【図７】
2010056585.tif 000009
【図８】
2010056585.tif 000010
【図９】
2010056585.tif 000011
【図１０】
2010056585.tif 000012
【図１１】
2010056585.tif 000013
【図１２】
2010056585.tif 000014
【図１３】
2010056585.tif 000015
【図１４】
2010056585.tif 000016
【図１５】
2010056585.tif 000017
【図１６】
2010056585.tif 000018
【図１７】
2010056585.tif 000019
【図１８】
2010056585.tif 000020
【図１９】
2010056585.tif 000021